(57)【特許請求の範囲】
【請求項１】
記録媒体を収納する外周が円形形状の収納部を有した記録媒体再生装置において、
前記記録媒体を出し入れするために再生装置本体に設けられた開口部の開閉を行う扉部が、前記収納部の外周に沿って移動可能に設けられ、前記開口部の開閉を行い、
前記開口部が開状態時には、前記扉部が前記開口部と前記再生装置本体の内部部品との間に位置することを特徴とする記録媒体再生装置。
【発明の詳細な説明】
【０００１】
【発明の属する技術分野】
本発明は、記録媒体を出し入れするための開口部の開閉を行う扉部を回動自在に配設した記録媒体再生装置に関する。
【０００２】
【従来の技術】
近年、ＣＤ等の記録媒体の収納効率を高めるために、チェンジャー本体内部に設けたラックに多くの記録媒体を収納するようにしたＣＤチェンジャーが普及している。
【０００３】
このようなＣＤチェンジャーにおけるＣＤの出し入れ口である開口部を開閉する扉には、図７に示すように、扉３を跳ね上げ式としたものがある。このような跳ね上げ式の場合、扉３を上方に回動させて開口部４を開けることにより、チェンジャー本体１内部のラック（図示省略）内にＣＤ２を収納したり、ラック内のＣＤ２を交換したりすることができるようになっている。
【０００４】
また、図８及び図９に示すように、扉３を前開き式としたものもあり、扉３を手前側に開くことによって開口部４を開けることができ、上記同様に、開口部４からＣＤ２の収納や交換を行うことができる。
【０００５】
【発明が解決しようとする課題】
ところが、上述した図７の跳ね上げ式の扉３を設けたＣＤチェンジャーでは、扉３が跳ね上げ式とされているため、扉３の回動スペースを確保する必要があり、チェンジャー本体１の上部に他の製品を積み重ねると、扉３を開けることができないため、他の製品の配置箇所に制約を受けてしまうという不具合がある。
【０００６】
また、図８及び図９の前開き式の扉３の場合、開けた扉３がバタついたりすると、開口部４からのＣＤ２の収納や交換の際に邪魔になったり、ＣＤ２に扉３が当たったりすると、ＣＤ２に傷を付けてしまう。更には、チェンジャー本体１内部にＣＤ２が収納されていない状態では、開口部４から手を入れると内部部品に触れられる可能性があり、内部部品の破損等を招いてしまうおそれがある。
【０００７】
本発明は、このような事情に対処してなされたもので、他の製品の配設箇所の制約を緩和したり、安全性や信頼性の向上を図ることができる記録媒体再生装置を提供することを目的とする。
【０００８】
【課題を解決するための手段】
請求項１記載の発明は、記録媒体を収納する外周が円形形状の収納部を有した記録媒体再生装置において、前記記録媒体を出し入れするために再生装置本体に設けられた開口部の開閉を行う扉部が、前記収納部の外周に沿って移動可能に設けられ、前記開口部の開閉を行い、前記開口部が開状態時には、前記扉部が前記開口部と前記再生装置本体の内部部品との間に位置することを特徴とする。
【０００９】
【作用】
請求項１に記載された記録再生装置では、扉が再生装置本体外部に出っ張らず、開口部からの記録媒体の収納や交換の際に邪魔になったり、記録媒体を扉に当てたりすることがなくなるばかりか、たとえば再生装置本体上部に他の製品を載置することが可能となる。
【００１０】
また、請求項１の記載された記録媒体再生装置では、開口部から手を入れた場合であっても、扉によって内部部品がガードされ、内部部品に触れてしまうことが防止される。
【００１１】
【発明の実施の形態】
以下、本発明の実施の形態の詳細を図面に基づいて説明する。
図１及び図２は、本発明の記録媒体再生装置をＣＤチェンジャーに適用した場合の一実施の形態を示すものである。
【００１２】
同図に示すように、チェンジャー本体１０のシャーシベース２０には、ルーレット機構部３０が配設されている。ルーレット機構部３０のルーレットベース３１の円形状のルーレット台３２の支持軸３３には、ラック４０の中心孔４１が挿入されている。ラック４０には、後述する１２ｃｍサイズのＣＤ２００又は８ｃｍサイズのＣＤ２０１を収納するためのスリット状のディスク収納部４５が設けられている。また、それぞれのスリット状のディスク収納部４５の底部には、ＣＤ２００，２０１がローディング／イジェクトされる際に後述するローディング機構７０のアーム７２が入り込むためのアーム挿入孔（図示省略）が設けられている。
【００１３】
支持軸３３には、センターポスト５０を介して扇状の扉６０の回動軸６１が回動自在に支持されている。このセンターポスト５０は、シャーシベース２０に取り付けられているフェンス部材８０，８１の先端部８３に接合されており、センターポスト５０の軸ブレが抑制されるようになっている。
【００１４】
センターポスト５０に支持された扉６０は、反時計方向に回動するようになっており、後述する操作パネル部１１０の開口部１１１が開放されるとき、扉６０は開口部１１１と後述するラック駆動系１４０との間に位置し、ラック駆動系１４０付近をガードするようになっている。
【００１５】
ルーレットベース３１上には、ラック４０に収納されているＣＤ２００又は２０１を取り出すためのアーム７２，７３を有したローディング機構７０が配設されている。
上記のフェンス部材８０，８１には、ラック４０の回転による１２ｃｍサイズのＣＤ２００の衝接を回避するための凹部８２が形成されている。
【００１６】
シャーシベース２０には、コ字形状のケーシング９０が取付けられ、ケーシング９０の背面側には背面板１００が取付けられ、ケーシング９０の前面側にはＣＤ２００又は２０１の出し入れ用の開口部１１１を有した操作パネル部１１０が取付けられるようになっている。
【００１７】
操作パネル部１１０の開口部１１１を覆う上記の扉６０は、扉駆動系１２０によって回動力が与えられるようになっている。すなわち、扉駆動系１２０のモータ１２１の駆動プーリ１２２とギヤプーリ１２３との間には、ベルト１２４が張架されており、駆動プーリ１２２からの駆動力がベルト１２４を介してギヤプーリ１２３に伝達されるようになっている。
【００１８】
ギヤプーリ１２３のギヤ部１２５には、二段ギヤ１２６が噛み合っており、二段ギヤ１２６の回転によって二段ギヤ１２７が回転すると、この二段ギヤ１２７に噛合う扉６０の下端部に形成されているラック（図示省略）がギヤ送りされ、扉６０が（オープン）−（クローズ）方向に約６５゜程度回動される。ここで、扉６０がオープン方向に回動された場合、後述するラック駆動系１４０付近をガートするようになっている。
【００１９】
扉６０のクローズ方向の終端側には、検出スイッチ１３０が配設されており、クローズ方向への回動によって扉６０の縁部が検出スイッチ１３０をオンさせると、扉６０のクローズ完了が検出されるようになっている。
【００２０】
また、扉６０のオープン方向に終端側には、検出スイッチ１３１が配設されており、オープン方向への回動によって扉６０の縁部が検出スイッチ１３１をオンさせると、扉６０のオープン完了が検出されるようになっている。
【００２１】
上記のルーレット機構部３０のルーレットベース３１には、ラック４０を回転駆動するためのラック駆動系１４０が配設されている。すなわち、ラック駆動系１４０のモータ１４１のモータプーリ１４２とギヤプーリ１４３との間には、ベルト１４４が張架されており、モータ１４１からの駆動力がベルト１４４を介してギヤプーリ１４３に伝達されると、ギヤプーリ１４３と同軸上に配設されている小ギヤ１４５に噛合う中間ギヤ１４６に伝達される。
【００２２】
中間ギヤ１４６からは、ツインギヤ１４７，１４９に駆動力が伝達されるようになっている。これらツインギヤ１４７，１４９の伝達ギヤ１４８，１５０は、ラック４０の外周縁部に形成されているギヤ部４２に噛合うことで、ラック４０を時計方向又は反時計方向に回転させるようになっている。
【００２３】
ここで、ツインギヤ１４７，１４９は、ラック４０の一部に形成されている切欠き溝４３を跨ぐ際に、駆動力伝達が欠落しないように設けられたものであり、一方のツインギヤ１４７又は１４９が切欠き溝４３に位置するとき、他方のツインギヤ１４７又は１４９がラック４０のギヤ部４２と噛み合い、駆動力を常時伝達するようになっている。
【００２４】
またここで、ラック４０の一部に形成されている切欠き溝４３の部分は、ローディング機構７０に対するホームポジションであるとともに、たとえばラック４０を多段に重ねることを想定して形成されたものであって、ラック４０が重ねられた場合であっても、ローディング機構７０を切欠き溝４３に沿って上下動させることが可能となる。
【００２５】
図３及び図４は、ローディング機構７０の詳細を示すものである。
同図に示すように、ローディング機構７０のローディングメカ本体７１には、軸７２ａ，７３ａを支点として回動自在とされた２本のアーム７２，７３が設けられている。ＣＤ２００又は２０１がローディングされるとき、２本のアーム７２，７３のうち、まず起立状態にあるアーム７３が時計方向にＣＤ２００又は２０１の外周縁部に当接するまで回動する。このとき、ＣＤ２００又は２０１の径が異なるため、アーム７３の回動量が異なり、この回動量を、アーム７３の回動量を検知することによりディスクサイズを判別する判別手段（図示せず）に検知させる。この判別手段により、ディスクサイズが判別され、その後のアーム７２，７３の動作等の制御が、ディスクサイズに適したもので制御される。
【００２６】
アーム７３がＣＤ２００又は２０１の外周縁部に当接すると、次いで水平状態にあるアーム７２が反時計方向に回動し、上述したディスク収納部４５の底部のアーム挿入孔（図示省略）に入り込んで、ＣＤ２００又は２０１の下端縁部に当接する。これにより、ＣＤ２００又は２０１の外周縁部が２本のアーム７２，７３によって挟持されると、２本のアーム７２，７３がＣＤ２００又は２０１を挟持した状態で反時計回りに回動し、ＣＤ２００又は２０１をローディングメカ本体７１内部に引き込む。その後、ローディングメカ本体７１内部の図示省略のターンテーブルによってクランプされる。このとき、２本のアーム７２，７３は、ディスク回転の妨げとならないように、ＣＤ２００又は２０１の縁部から若干離れた位置まで回動する。
【００２７】
一方、ＣＤ２００又は２０１がイジェクトされるとき、２本のアーム７２，７３によってＣＤ２００又は２０１が挟持され、上記とは逆の動作によってＣＤ２００又は２０１がラック４０のディスク収納部４５に戻される。
【００２８】
また、ローディングメカ本体７１の底部には、ラックロック機構１６０が設けられている。このラックロック機構１６０は、ラック４０の回転を阻止し、選択されたＣＤ２００又は２０１が収納されているディスク収納部４５の位置決めを行うものである。
【００２９】
すなわち、ローディングメカ本体７１側のドライブプレート７４には、ラックロック機構１６０の支持部材１６１を介してスライダ１６２が連結されており、ドライブプレート７４の移動によってスライダ１６２がラック４０に対し進退自在とされている。
【００３０】
スライダ１６２の先端部には、カム部１６３が設けられており、軸１６４を支点として回動自在とされたロックアーム１６５の係合ピン１６６を変位させると、ロックアーム１６５が回動し、ロックアーム１６５のロック片部１６７がラック４０のロック片部４４に係合することにより、ラック４０の回転を制止されるようになっている。
【００３１】
すなわち、ラックロック機構１６０は、通常、図４（ａ）の状態にあり、この状態でディスク選択が行われると、ラック４０が回転され、選択されたＣＤ２００又はＣＤ２０１がローディング機構７０の正面に対応する位置で停止される。
【００３２】
ラック４０の回転が停止すると、図４（ｂ），（ｃ）に示すように、スライダ１６２がラック４０側に押し出されると、スライダ１６２の先端部のカム部１６３によってロックアーム１６５の係合ピン１６６が押し上げられ、ロックアーム１６５が軸１６４を支点として回動することにより、ロックアーム１６５のロック片部１６７がラック４０のロック片部４４に係合する。この状態で、図４（ｄ）に示すように、係合ピン１６６がカム部１６３を登りきるとスライダ１６２の上端部１６８によって係合ピン１６６の変位位置が固定される。
【００３３】
図５は、ラック４０の底部側に設けられているエンコーダを示すものである。
同図に示すように、エンコーダ１７０には、外周検出板１７１及び内周検出板１７２が設けられている。それぞれの外周検出板１７１及び内周検出板１７２を挟んだ位置には、発光部１７５，１７７及び受光部１７６，１７８が設けられている。
【００３４】
外周検出板１７１には、ディスク収納部４５に対応させたスリット１７４が等間隔で設けられている。内周検出板１７２に設けられているそれぞれの遮光板１７３Ａ〜１７３Ｉの間のスリット１７３ａ〜１７３ｉは、その寸法が順に大きくなるように設けられており、これらスリット１７３ａ〜１７３ｉによる光検出（オンパルス）と外周検出板１７１のスリット１７４による光検出（オンパルス）との組合せによって、ラック４０に収納されているＣＤ２００，２０１の収納位置が検出されるようになっている。
【００３５】
続いて、このような構成のＣＤチェンジャーの動作について説明する。
まず、扉６０を開ける場合には、操作パネル部１１０に設けられているオープンボタン（図示省略）を操作すると、扉駆動系１２０が駆動され、扉６０が開けられる。
【００３６】
すなわち、モータ１２１の駆動力が駆動プーリ１２２からベルト１２４を介してギヤプーリ１２３に伝達され、ギヤプーリ１２３のギヤ部１２５に噛み合っている二段ギヤ１２６の回転に伴って、扉６０のラックに噛み合う二段ギヤ１２７が回転し、扉６０をオープン方向に回動させる。
【００３７】
扉６０がオープン方向に回動すると、扉６０の縁部によってオープン方向の終端側に設けられている検出スイッチ１３０がオンされ、扉６０のオープン完了が検出される。
【００３８】
この状態では、扉６０がラック駆動系１４０付近をガートする位置にあり、操作パネル部１１０の開口部１１１からチェンジャー本体１０内部に誤って手を差し込んだ場合であっても、手が扉６０によって遮られることにより、誤ってラック駆動系１４０に触れることもなく、ラック駆動系１４０の破損等が防げる。
【００３９】
この状態で、ラック４０のディスク収納部４５の開いている箇所に、１２ｃｍサイズのＣＤ２００又は８ｃｍサイズのＣＤ２０１を収納するか、或は既に収納されているＣＤ２００又はＣＤ２０１を取り出して交換するかした後、操作パネル部１１０のクローズボタン（図示省略）を操作すると、モータ１２１がオープン時とは逆方向に駆動される。扉６０がクローズ方向に回動すると、扉６０の縁部によってクローズ方向の終端側に設けられている検出スイッチ１３１がオンされ、扉６０のクローズ完了が検出される。
【００４０】
次いで、操作パネル部１１０のＣＤ選択ボタン（図示省略）を操作すると、ラック駆動系１４０が駆動される。すなわち、モータ１４１の駆動力がベルト１４４を介してギヤプーリ１４３に伝達され、小ギヤ１４５に噛合う中間ギヤ１４６が回転することにより、ツインギヤ１４７，１４９に駆動力が伝達され、ギヤ部４２に噛合う伝達ギヤ１４８，１５０が回転すると、ラック４０が時計方向又は反時計方向に回転する。
【００４１】
このとき、エンコーダ１７０によってＣＤ２００又は２０１の収納位置が検出され、選択されたＣＤ２００又は２０１の収納位置が検出されると、ローディング機構７０の正面に選択されたＣＤ２００又は２０１が位置するようにラック４０の回転が停止される。
【００４２】
ラック４０の回転が停止すると、図４（ｂ），（ｃ）に示したように、スライダ１６２がラック４０側に押し出され、スライダ１６２の先端部のカム部１６３によってロックアーム１６５の係合ピン１６６が押し上げられると、ロックアーム１６５が軸１６４を支点として回動し、ロックアーム１６５のロック片部１６７がラック４０のロック片部４４に係合する。この状態で、図４（ｄ）に示したように、係合ピン１６６がカム部１６３を登りきるとスライダ１６２の上端部１６８によって係合ピン１６６の変位位置が固定されることにより、ラック４０とローディング機構７０とが固定される。
【００４３】
ラック４０とローディング機構７０との固定が完了すると、まず起立状態にあるアーム７３が時計方向にＣＤ２００又は２０１の外周縁部に当接するまで回動する。次いで水平状態にあるアーム７２が反時計方向に回動し、上述したディスク収納部４５の底部のアーム挿入孔（図示省略）に入り込んで、ＣＤ２００又は２０１の下端縁部に当接し、ＣＤ２００又は２０１の外周縁部が２本のアーム７２，７３によって挟持されると、２本のアーム７２，７３がＣＤ２００又は２０１を挟持した状態で反時計回りに回動し、ＣＤ２００又は２０１をローディングメカ本体７１内部に引き込む。その後、ローディングメカ本体７１内部の図示省略のターンテーブルによってクランプされることにより、ディスク再生が行われる。このとき、２本のアーム７２，７３は、ディスク回転の妨げとならないように、ＣＤ２００又は２０１の縁部から若干離れた位置まで回動する。
【００４４】
一方、ＣＤ２００又は２０１がイジェクトされるとき、２本のアーム７２，７３によってＣＤ２００又は２０１が挟持され、上記とは逆の動作によってＣＤ２００又は２０１がラック４０のディスク収納部４５に戻される。
【００４５】
ＣＤ２００又は２０１のラック４０側への戻しが完了すると、スライダ１６２がラック４０側から後退し、ロックアーム１６５のロック片部１６７とラック４０のロック片部４４との係合状態が解除される。
【００４６】
これにより、ラック４０は回転可能状態とされ、次のＣＤ２００又は２０１の選択指示待ち状態となる。
【００４７】
このように、本実施の形態では、ＣＤ２００又は２０１を出し入れする操作パネル部１１０の開口部１１１の開閉を行う扉６０を、ルーレット機構部３０のルーレットベース３１の円形状のルーレット台３２の支持軸３３を中心として回動させるようにしたので、扉６０の回動スペースをラック４０の外周に沿って設けることができ、これによって扉６０のスペース効率を高めることができる。
【００４８】
また、開口部１１１が開放された状態では、扉６０がチェンジャー本体１０外部に出っ張らないため、開口部１１１からのラック４０へのＣＤ２００又は２０１の収納やラック４０からの交換の際に邪魔になったり、ＣＤ２００又は２０１を扉６０に当ててしまうことがなくなるばかりか、チェンジャー本体１０上部に他の製品を載置することが可能となる。
【００４９】
更に、開口部１１１が開放された場合には、扉６０を開口部１１１とラック駆動系１４０との間に位置させるようにしたので、開口部１１１から手を入れた場合であっても、扉６０によってラック駆動系１４０がガードされ、ラック駆動系１４０に触れることもなくなり、思わぬ怪我やラック駆動系１４０の破損等を招いてしまうおそれがなくなる。
【００５０】
なお、本実施の形態では、開口部１１１を開放するとき、扉６０を反時計方向に回動させて開口部１１１とラック駆動系１４０との間に扉６０を位置させる場合について説明したが、この例に限らず、扉６０を、図６に示すように、時計方向に回動させるようにしてもよく、この場合にも扉６０の回動スペースをラック４０の外周に沿って設けることができるため、扉６０の回動スペースにより内部部品の設置場所に制約を受けることがなくなる。
【００５１】
また、本実施の形態では、本発明を、複数のＣＤ２００又は２０１をラック４０に縦置きに収納させたＣＤチェンジャーに適用した場合について説明したが、この例に限らず、複数のＣＤ２００又は２０１を横置きに収納するタイプのＣＤチェンジャーに適用してもよい。
【００５２】
更に、このようなＣＤチェンジャーに限らず、ＬＤ等の他の記録媒体を複数枚収納するタイプのディスクチェンジャーに適用してもよく、更にはこのような複数枚のディスクを収納するＣＤチェンジャーやディスクチェンジャーに限らず、ＣＤ２００又は２０１を１枚毎にローディングして再生するシングルタイプのＣＤプレーヤに適用してもよく、更にまたこのようなＣＤチェンジャー、ディスクチェンジャー及びＣＤプレーヤに限らず、複数のカセットテープを収納するタイプのカセットチェンジャーに適用してもよい。
【００５３】
【発明の効果】
以上説明したように、本発明の記録媒体再生装置によれば、扉が再生装置本体外部に出っ張らず、開口部からの記録媒体の収納や交換の際に邪魔になったり、記録媒体を扉に当てたりすることがなくなるばかりか、たとえば再生装置本体上部に他の製品を載置することが可能となる。
【図面の簡単な説明】
【図１】本発明の記録媒体再生装置の一実施の形態に係るＣＤチェンジャーを示す分解斜視図である。
【図２】図１のＣＤチェンジャーを示す平面図である。
【図３】図１のＣＤチェンジャーのローディング機構を示す側面図である。
【図４】図３のローディング機構のラックロック動作を説明するための図である。
【図５】図１のＣＤチェンジャーに設けられているエンコーダを示す図である。
【図６】図１の扉の回動方向を変えた場合の他の実施の形態を示す平面図である。
【図７】従来の跳ね上げ式の扉を備えたＣＤチェンジャーの一例を示す斜視図である。
【図８】従来の観音式の扉を備えたＣＤチェンジャーの一例を示す斜視図である。
【図９】従来の前開き式の扉を備えたＣＤチェンジャーの一例を示す斜視図である。
【符号の説明】
１０  チェンジャー本体
２０  シャーシベース
３０  ルーレット機構部
３１  ルーレットベース
３２  ルーレット台
３３  支持軸
４０  ラック
４１  中心孔
４５  ディスク収納部
５０  センターポスト
６０  扉
６１  回動軸
７０  ローディング機構
１１０  操作パネル部
１１１  開口部
１２０  扉駆動系
１４０  ラック駆動系
１６０  ラックロック機構
１６２  スライダ
１６３  カム部
１６５  ロックアーム
１７０  エンコーダ
２００，２０１  ＣＤ
【図１】
0003699168.tif 000002
【図２】
0003699168.tif 000003
【図３】
0003699168.tif 000004
【図４】
0003699168.tif 000005
【図５】
0003699168.tif 000006
【図６】
0003699168.tif 000007
【図７】
0003699168.tif 000008
【図８】
0003699168.tif 000009
【図９】
0003699168.tif 000010